(57)【特許請求の範囲】
【請求項１】
多数の円板を所定の間隔をあけて回転軸に固定して形成した複数の円柱状スクリーンユニットを、隣接する円柱状スクリーンユニットの円板同士が重なり合うように配設した取水口の異物侵入阻止装置において、前記複数の円柱状スクリーンユニットを、上下方向に複数のグループに区分し、各グループ毎に独立した駆動機構を設けるようにしたことを特徴とする取水口の異物侵入阻止装置。
【請求項２】
上下方向に区分した各グループの円柱状スクリーンユニットの回転軸を、上下方向に区分した各グループ間で平面視して、位置を変えて配置したことを特徴とする請求項１記載のディスクスクリーン装置。
【請求項３】
上下方向に区分した各グループの円柱状スクリーンユニットの回転軸を、上下方向に区分した各グループ間で平面視して、同一位置に配置したことを特徴とする請求項１記載のディスクスクリーン装置。
【請求項４】
複数の円柱状スクリーンユニットを、横方向においてさらに複数のグループに区分したことを特徴とする請求項１、２又は３記載の取水口の異物侵入阻止装置。
【請求項５】
前記円柱状スクリーンユニットの回転軸に設定した値以上のトルクが発生した場合に、当該トルクの発生した円柱状スクリーンユニットの回転軸に対する回転駆動力の伝達を遮断する回転停止機構を設けたことを特徴とする請求項１、２、３又は４記載の取水口の異物侵入阻止装置。
【発明の詳細な説明】
【０００１】
【発明の属する技術分野】
本発明は、河川等における潅漑用水、発電所の冷却水、上水用水等の取水路の取水口に設置し、河川等から取水口内に流入しようとする異物を河川側で阻止し、河川の下流方向へ流下させて、取水口において異物が捕捉、滞留しないようにした取水口の異物侵入阻止装置に関するものである。
【０００２】
【従来の技術】
従来、河川等から、潅漑用水、発電所の冷却水、上水用水等の用途で取水する場合、あるいは、河川の浄化や大雨時の水量の調整を目的として取水する場合、取水路の取水口に異物侵入阻止装置を設置し、河川等から取水口内に異物が流入しないようにしている。
【０００３】
このような目的で、取水口に設けられる異物侵入阻止装置のうち、最も一般的なものとして、バースクリーンがあるが、バースクリーンの場合、バースクリーンにより捕捉した異物を定期的に掻き上げ、掻き上げたごみを焼却場又は埋立地等へ搬送して処分する必要がある。
【０００４】
【発明が解決しようとする課題】
ところで、バースクリーンにより捕捉した異物を掻き上げる作業は、必要に応じて、自動除塵機を設置して自動的に行うことが可能であるが、一旦掻き上げたごみを河川等に投棄することは河川管理上許されないため、掻き上げたごみを焼却場又は埋立地等へ搬送して処分する作業は、人手により行う必要があり、異物侵入阻止装置の維持・管理に多大な手間を要するという問題があった。
【０００５】
このバースクリーンの有する問題点を解決するため、本件出願人は、先に、図８に示すような、多数の円板１５２を所定の間隔をあけて回転軸１５１に固定して形成した複数の円柱状スクリーンユニット１０５を、隣接する円柱状スクリーンユニット１０５，１０５の円板１５２，１５２同士が重なり合うように配設した取水口の異物侵入阻止装置１０４を提案した。
【０００６】
この取水口の異物侵入阻止装置１０４は、取水口への異物の侵入を阻止しながら、異物侵入阻止装置１０４を構成する円柱状スクリーンユニット１０５の円板１５２の隙間を介して、取水口に水を取り入れるようにするとともに、各円柱状スクリーンユニット１０５の回転軸１５１を、電動モータ等の駆動源１０６により、スプロケットホイール及びチェーン又はギヤ等の任意の動力伝達機構（図示省略）を介して、同一方向（図７（ａ）において右回り）に回転駆動し、回転する円板１５２の作用により、捕捉した異物を、河川の下流側に順次送るように構成し、これにより、河川から取水口内に流入しようとする異物を河川側で阻止し、河川の下流方向へ流下させて、取水口において異物が捕捉されたり、滞留しないようにし、異物侵入阻止装置の維持・管理を簡易に行うことができるようにしたものである。
【０００７】
しかしながら、この取水口の異物侵入阻止装置１０４は、各円柱状スクリーンユニット１０５の回転軸１５１を、共通の電動モータ等の駆動源１０６及び適宜の伝動機構からなる駆動機構により回転駆動するようにしているため、河川を流下する流木、ドラム缶等の大きな異物が衝突すること等によって、装置の一部が破損し、１つの円柱状スクリーンユニット１０５の回転が停止すると、装置全体が停止してしまい、これにより、円板１５２間の隙間に目詰まりが生じ、取水が継続して行うことができなくなるという問題があった。
【０００８】
本発明は、上記従来の取水口の異物侵入阻止装置の有する問題点を解決し、河川から取水口内に流入しようとする異物を河川側で阻止し、河川の下流方向へ流下させて、取水口において異物が捕捉されたり、滞留しないようにするとともに、万一装置の一部が破損しても、装置全体が停止せず、取水を継続して行うことができるようにした取水口の異物侵入阻止装置を提供することを目的とする。
【０００９】
【課題を解決するための手段】
上記目的を達成するため、本発明の取水口の異物侵入阻止装置は、多数の円板を所定の間隔をあけて回転軸に固定して形成した複数の円柱状スクリーンユニットを、隣接する円柱状スクリーンユニットの円板同士が重なり合うように配設した取水口の異物侵入阻止装置において、前記複数の円柱状スクリーンユニットを、上下方向に複数のグループに区分し、各グループ毎に独立した駆動機構を設けるようにしたことを特徴とする。
この場合、上下方向に区分した各グループの円柱状スクリーンユニットの回転軸を、上下方向に区分した各グループ間で平面視して、位置を変えて配置したり、上下方向に区分した各グループ間で平面視して、同一位置に配置することができる。
【００１０】
この取水口の異物侵入阻止装置は、多数の円板を所定の間隔をあけて回転軸に固定して形成した複数の円柱状スクリーンユニットを、上下方向に複数のグループに区分し、各グループ毎に独立した駆動機構を設けるようにしているため、河川から取水口内に流入しようとする異物を河川側で阻止し、河川の下流方向へ流下させて、取水口において異物が捕捉されたり、滞留しないようにするとともに、万一装置の一部が破損しても、破損した円柱状スクリーンユニットが属するグループを除く他のグループに属する円柱状スクリーンユニットについては、支障なく駆動することができ、これにより、装置全体が完全に停止することがなく、所定量の取水を継続して行うことができる。
そして、河川を流下する流木、ドラム缶等の大きな異物が衝突することによって装置が破損する場合、破損は、通常、装置の同じ高さ位置の部分で発生することが多いと考えられるため、複数の円柱状スクリーンユニットを、上下方向において複数のグループに区分することによって、装置全体が完全に停止することを高い確率でもって防止することができる。
【００１１】
特に、上下方向に区分した各グループの円柱状スクリーンユニットの回転軸を、上下方向に区分した各グループ間で平面視して、位置を変えて配置することにより、各グループの駆動機構を水面上に設置することができ、駆動機構の構造を簡略化することができるとともに、保守作業を簡易に行うことができる。
【００１２】
また、上下方向に区分した各グループの円柱状スクリーンユニットの回転軸を、上下方向に区分した各グループ間で平面視して、同一位置に配置することにより、装置の全体形状、特に、厚み（奥行き）を小さくすることができる。
【００１３】
また、複数の円柱状スクリーンユニットを、横方向においてさらに複数のグループに区分することができる。
【００１４】
これにより、駆動機構の構造を複雑にすることなく、装置全体が完全に停止することを防止することができる。
【００１５】
また、前記円柱状スクリーンユニットの回転軸に設定した値以上のトルクが発生した場合に、当該トルクの発生した円柱状スクリーンユニットの回転軸に対する回転駆動力の伝達を遮断する回転停止機構を設けることができる。
【００１６】
これにより、河川から取水口内に流入しようとする異物を河川側で阻止し、河川の下流方向へ流下させて、取水口において異物が捕捉されたり、滞留しないようにするとともに、万一装置の一部が破損しても、破損した円柱状スクリーンユニットを除く他の円柱状スクリーンユニットについては、支障なく駆動することができ、これにより、装置全体が完全に停止することがなく、所定量の取水を継続して行うことができる。
【００１７】
【発明の実施の形態】
以下、本発明の取水口の異物侵入阻止装置の実施の形態を図面に基づいて説明する。
【００１８】
図１〜図４に、本発明の取水口の異物侵入阻止装置の第１実施例を示す。
この取水口の異物侵入阻止装置４は、河川１に設けた取水路２の取水口３に配設して用いるもので、多数の円板５２を所定の間隔をあけて回転軸５１に固定して形成した複数の円柱状スクリーンユニット５を、隣接する円柱状スクリーンユニット５，５の円板５２，５２同士が重なり合うように、軸受を介してフレーム４１，４２，４３に回転可能に支持されるようにし、各円柱状スクリーンユニット５の回転軸５１を、電動モータ等の駆動源６Ａ，６Ｂ及び適宜の伝動機構からなる駆動機構により回転駆動するように構成したものである。
【００１９】
この場合において、複数の円柱状スクリーンユニット５は、上下方向に複数のグループ、本実施例においては、２つのグループ５Ａ，５Ｂに区分するとともに、上下方向に区分した各グループ５Ａ，５Ｂの円柱状スクリーンユニット５の回転軸５１を、上下方向に区分した各グループ５Ａ，５Ｂ間で平面視して、位置を変えて、本実施例においては、上方のグループ５Ａの円柱状スクリーンユニット５の回転軸５１を河川１側に、下方のグループ５Ｂの円柱状スクリーンユニット５の回転軸５１を取水路２の取水口３側に配置し、下方のグループ５Ｂの円柱状スクリーンユニット５の回転軸５１を延出して、軸受を介して上部フレーム４１と下部フレーム４３に回転可能に支持されるようにする。
一方、上方のグループ５Ａの円柱状スクリーンユニット５の回転軸５１は、軸受を介して上部フレーム４１と中間フレーム４２に回転可能に支持されるようにする。
【００２０】
そして、グループ５Ａの円柱状スクリーンユニット５と、グループ５Ｂの円柱状スクリーンユニット５は、各グループ毎に駆動源６Ａ，６Ｂを異にする独立した駆動機構により駆動するようにする。
なお、駆動機構は、上記のものに限定されず、例えば、クラッチ機構を介することにより、１つの駆動源により、各グループを独立して駆動する（この場合、クラッチ機構以降の駆動機構を構成する伝動機構は、独立して駆動されるものとなる。）ようにすることができる。
【００２１】
また、異物侵入阻止装置４の最上流側に位置する円筒状スクリーン５の上流側の外周には、この円筒状スクリーン５と縦フレーム４０の間隙を通って、取水口３内へ異物が流入しないように、かつ、河川１を流下する異物が、円筒状スクリーン１側へ円滑に導かれるように、整流板７を配設する。
【００２２】
ところで、本実施例に示すように、上下方向に区分した各グループ５Ａ，５Ｂの円柱状スクリーンユニット５の回転軸５１を、上下方向に区分した各グループ５Ａ，５Ｂ間で平面視して、位置を変えて配置し、下方のグループ５Ｂの円柱状スクリーンユニット５の回転軸５１を延出して、軸受を介して上部フレーム４１と下部フレーム４３に回転可能に支持することにより、各グループ５Ａ，５Ｂの駆動源６Ａ，６Ｂ等の駆動機構を水面上に設置することができ、駆動機構の構造を簡略化することができるとともに、保守作業を簡易に行うことができるものとなる。
【００２３】
次に、図５に、本発明の取水口の異物侵入阻止装置の第２実施例を示す。
この取水口の異物侵入阻止装置４は、複数の円柱状スクリーンユニット５を上下方向に複数のグループ、本実施例においては、２つのグループ５Ａ，５Ｂに区分するとともに、上下方向に区分した各グループ５Ａ，５Ｂの円柱状スクリーンユニット５の回転軸５１を、上下方向に区分した各グループ５Ａ，５Ｂ間で平面視して、同一位置に配置し、上方のグループ５Ａの円柱状スクリーンユニット５の回転軸５１を、軸受を介して上部フレーム４１と中間フレーム４２に回転可能に支持し、下方のグループ５Ｂの円柱状スクリーンユニット５の回転軸５１を、軸受を介して中間フレーム４２と下部フレーム４３に回転可能に支持するようにしたものである。
なお、グループ５Ａの円柱状スクリーンユニット５と、グループ５Ｂの円柱状スクリーンユニット５を、各グループ毎に駆動源６Ａ，６Ｂを異にする独立した駆動機構により駆動するように構成すること等は、上記第１実施例の取水口の異物侵入阻止装置と同様である。
【００２４】
この場合、グループ５Ｂの駆動源６Ｂ等の駆動機構を水面下に設置する必要があるものの、各グループ５Ａ，５Ｂの円柱状スクリーンユニット５の回転軸５１を、上下方向に区分した各グループ５Ａ，５Ｂ間で平面視して、同一位置に配置することにより、装置４の全体形状、特に、厚み（奥行き）を小さくすることができるものとなる。
【００２５】
次に、図６に、本発明の取水口の異物侵入阻止装置の第３実施例を示す。
この取水口の異物侵入阻止装置４は、複数の円柱状スクリーンユニット５を横方向に複数のグループ、本実施例においては、２つのグループ５Ａ，５Ｂに区分し、グループ５Ａの円柱状スクリーンユニット５と、グループ５Ｂの円柱状スクリーンユニット５を、各グループ毎に駆動源６Ａ，６Ｂを異にする独立した駆動機構により駆動するようにしたものである。
なお、その他の構成は、上記第１実施例の取水口の異物侵入阻止装置と同様である。
【００２６】
この場合、装置４全体が完全に停止することを防止することができる確率は、上記第１実施例及び第２実施例の取水口の異物侵入阻止装置より若干低下すると考えられるものの、複数の円柱状スクリーンユニット５を、横方向において複数のグループ５Ａ，５Ｂに区分することにより、駆動機構の構造を簡略に構成することができるものとなる。
【００２７】
なお、取水口の異物侵入阻止装置４を構成する複数の円柱状スクリーンユニット５を、３つ以上のグループに区分したり、上記第１実施例及び第２実施例の取水口の異物侵入阻止装置のように、上下方向において複数のグループに区分し、さらに、上記第３実施例の取水口の異物侵入阻止装置のように、横方向において複数のグループに区分するように構成することもでき、これにより、装置４のうち、円柱状スクリーンユニット５が停止する割合を少なくすることができる。
【００２８】
次に、上記各実施例の取水口の異物侵入阻止装置の動作について説明する。
これらの取水口の異物侵入阻止装置４は、多数の円板５２を所定の間隔をあけて回転軸５１に固定して形成した複数の円柱状スクリーンユニット５を、複数のグループ５Ａ，５Ｂに区分し、各グループ５Ａ，５Ｂ毎に独立した電動モータ等の駆動源６Ａ，６Ｂ及び適宜の伝動機構からなる駆動機構により回転駆動するようにしているため、河川１から取水路２の取水口３内に流入しようとする異物を河川１側で阻止し、円柱状スクリーンユニット５の一方向に回転する円板５２の作用によって、河川１の下流方向へ順次流下させて、取水口３において異物が捕捉されたり、滞留しないようにする。
そして、万一、河川１を流下する流木、ドラム缶等の大きな異物が衝突することによって装置４の一部が破損しても、破損した円柱状スクリーンユニット５が属するグループを除く他のグループに属する円柱状スクリーンユニット５については、支障なく駆動することができ、これにより、装置４全体が完全に停止することがなく、所定量の取水を継続して行うことができるものとなる。
【００２９】
この場合、河川を流下する流木、ドラム缶等の大きな異物が衝突することによって装置４が破損するケースは、通常、装置４の同じ高さ位置の部分で発生することが多いと考えられるため、複数の円柱状スクリーンユニット５を、本発明の第１実施例及び第２実施例の取水口の異物侵入阻止装置のように、上下方向において複数のグループ５Ａ，５Ｂに区分することによって、装置４全体が完全に停止することを高い確率でもって防止することができる。
【００３０】
次に、図７に、本発明の取水口の異物侵入阻止装置の第４実施例を示す。
この取水口の異物侵入阻止装置４は、複数の円柱状スクリーンユニット５のうちのいずれかの円柱状スクリーンユニット５の回転軸５１に設定した値以上のトルクが発生した場合に、当該トルクの発生した円柱状スクリーンユニット５の回転軸５１に対する回転駆動力の伝達を遮断する回転停止機構８を設けるように構成したものである。
回転停止機構８は、回転軸５１に設定した値以上のトルクが発生した場合に、回転軸５１に対する回転駆動力の伝達を遮断すことができる任意の機構、例えば、シヤーピン、トルクリミッタ、トルクレリーサ、トルクカップリング等を、回転軸５１又は伝動機構の適宜位置に配設して構成することができる。
なお、この取水口の異物侵入阻止装置４の基本的な構成は、本実施例において、複数の円柱状スクリーンユニット５を複数のグループに区分する必要がない点を除き、上記第１実施例等の取水口の異物侵入阻止装置と同様である。
【００３１】
次に、上記第４実施例の取水口の異物侵入阻止装置の動作について説明する。
この取水口の異物侵入阻止装置４は、多数の円板５２を所定の間隔をあけて回転軸５１に固定して形成した複数の円柱状スクリーンユニット５のうちのいずれかの円柱状スクリーンユニット５の回転軸５１に設定した値以上のトルクが発生した場合に、当該トルクの発生した円柱状スクリーンユニット５の回転軸５１に対する回転駆動力の伝達を遮断する回転停止機構８を設けるようにしているため、河川１から取水路２の取水口３内に流入しようとする異物を河川１側で阻止し、円柱状スクリーンユニット５の一方向に回転する円板５２の作用によって、河川１の下流方向へ順次流下させて、取水口３において異物が捕捉されたり、滞留しないようにするとともに、万一、河川１を流下する流木、ドラム缶等の大きな異物が衝突することによって装置４の一部が破損しても、破損した円柱状スクリーンユニット５を除く他の円柱状スクリーンユニット５については、支障なく駆動することができ、これにより、装置４全体が完全に停止することがなく、所定量の取水を継続して行うことができるものとなる。
【００３２】
【発明の効果】
本発明の取水口の異物侵入阻止装置によれば、多数の円板を所定の間隔をあけて回転軸に固定して形成した複数の円柱状スクリーンユニットを、上下方向に複数のグループに区分し、各グループ毎に独立した駆動機構を設けるようにしているため、河川から取水口内に流入しようとする異物を河川側で阻止し、河川の下流方向へ流下させて、取水口において異物が捕捉されたり、滞留しないようにするとともに、万一装置の一部が破損しても、破損した円柱状スクリーンユニットが属するグループを除く他のグループに属する円柱状スクリーンユニットについては、支障なく駆動することができ、これにより、装置全体が完全に停止することがなく、所定量の取水を継続して行うことができ、取水に関連する装置や設備等を円滑に稼働することができる。
特に、河川を流下する流木、ドラム缶等の大きな異物が衝突することによって装置が破損する場合、破損は、通常、装置の同じ高さ位置の部分で発生することが多いと考えられるため、複数の円柱状スクリーンユニットを、上下方向において複数のグループに区分することによって、装置全体が完全に停止することを高い確率でもって防止することができる。
【００３３】
また、上下方向に区分した各グループの円柱状スクリーンユニットの回転軸を、上下方向に区分した各グループ間で平面視して、位置を変えて配置することにより、各グループの駆動機構を水面上に設置することができ、駆動機構の構造を簡略化することができるとともに、保守作業を簡易に行うことができる。
【００３４】
また、上下方向に区分した各グループの円柱状スクリーンユニットの回転軸を、上下方向に区分した各グループ間で平面視して、同一位置に配置することにより、装置の全体形状、特に、厚み（奥行き）を小さくすることができる。
【００３５】
また、複数の円柱状スクリーンユニットを、横方向において複数のグループに区分することにより、駆動機構の構造を複雑にすることなく、装置全体が完全に停止することを防止することができる。
【００３６】
また、多数の円板を所定の間隔をあけて回転軸に固定して形成した複数の円柱状スクリーンユニットのうちのいずれかの円柱状スクリーンユニットの回転軸に設定した値以上のトルクが発生した場合に、当該トルクの発生した円柱状スクリーンユニットの回転軸に対する回転駆動力の伝達を遮断する回転停止機構を設けるようにすることにより、河川から取水口内に流入しようとする異物を河川側で阻止し、河川の下流方向へ流下させて、取水口において異物が捕捉されたり、滞留しないようにするとともに、万一装置の一部が破損しても、破損した円柱状スクリーンユニットを除く他の円柱状スクリーンユニットについては、支障なく駆動することができ、これにより、装置全体が完全に停止することがなく、所定量の取水を継続して行うことができ、取水に関連する装置や設備等を円滑に稼働することができる。
【図面の簡単な説明】
【図１】  本発明の取水口の異物侵入阻止装置の第１実施例を示す正面図である。
【図２】  同平面図である。
【図３】  図１のＡ−Ａ線断面図である。
【図４】  図１のＢ−Ｂ線断面図である。
【図５】  本発明の取水口の異物侵入阻止装置の第２実施例を示す側面縦断面図である。
【図６】  本発明の取水口の異物侵入阻止装置の第３実施例を示し、（ａ）は平面図、（ｂ）は正面図である。
【図７】  本発明の取水口の異物侵入阻止装置の第４実施例を示し、（ａ）は平面図、（ｂ）は正面図である。
【図８】  従来の取水口の異物侵入阻止装置を示し、（ａ）は平面図、（ｂ）は正面図である。
【符号の説明】
１    河川
２    取水路
３    取水口
４    異物侵入阻止装置
４１  フレーム（軸受）
４２  フレーム（軸受）
４３  フレーム（軸受）
５    円筒状スクリーンユニット
５Ａ  円筒状スクリーンユニットのグループ
５Ｂ  円筒状スクリーンユニットのグループ
５１  回転軸
５２  円板
６Ａ  駆動源（駆動機構）
６Ｂ  駆動源（駆動機構）
７    整流板
８    回転停止機構
【図１】
0003745893.tif 000002
【図２】
0003745893.tif 000003
【図３】
0003745893.tif 000004
【図４】
0003745893.tif 000005
【図５】
0003745893.tif 000006
【図６】
0003745893.tif 000007
【図７】
0003745893.tif 000008
【図８】
0003745893.tif 000009